(57)【要約】【課題】上吊り引戸を閉位置において床面との間で隙間なく気密に閉止することを実現する上吊り引戸の開閉機構を提供する。【解決手段】吊り金具ユニットＡには、中心に雌ねじ穴を螺設した固定ナット３５と、先端にピニオン３０を固着すると共に軸部を外周に固定ナットの雌ねじ穴と対応するピッチの雄ねじを刻設したねじ棒２９で形成し、ねじ棒を固定ナットの雌ねじ穴に螺合させて枢支した吊りボルトを組み付け、ガイドレール１３には、引戸１１の吊り込み時にピニオンと対向する高さ位置にあって、引戸が扉開口部１０を全閉する手前の所定位置から全閉する閉位置までの間、ピニオンが噛み合う長さのラック歯５０ａ・５１ａを有したラック５０・５１を固着する。引戸の開閉時、ピニオンとラック歯が噛み合って吊りボルトをねじ棒が螺合状態の固定ナットに対して回転すると、その回転に応じて吊りボルトが軸方向に移動し、その移動距離だけ引戸を昇降させる。【選択図】図１
2007177404.tif 000002
【特許請求の範囲】
【請求項１】
引戸をスライドさせて開閉する扉開口部の天井側にガイドレールを固定する一方、前記引戸の上端部に吊り金具ユニットを搭載し、その吊り金具ユニットに備えた戸車を前記ガイドレール上に転動自在に係合させて前記引戸を開閉方向へ移動自在に吊り込む引戸構造体において、
前記吊り金具ユニットには、
前記戸車を軸支する戸車支持体に横向きに固着し、中心に雌ねじ穴を螺設してなる固定ナットと、
先端にピニオンを固着すると共に、軸部を、外周に前記固定ナットの雌ねじ穴と対応するピッチの雄ねじを刻設したねじ棒で形成し、該ねじ棒を前記固定ナットの雌ねじ穴に螺合させて回転自在に枢支した吊りボルトと、を組み付ける一方、
前記ガイドレールには、
前記引戸の吊り込み時に前記ピニオンと対向する高さ位置にあって、前記引戸が前記扉開口部を全閉する手前の所定位置から全閉する閉位置までの間、前記ピニオンが噛み合う長さのラック歯を有したラックを固着し、
前記引戸をスライドして前記扉開口部を開閉するとき、前記ピニオンと前記ラックのラック歯とが噛み合って、前記吊りボルトを、前記ねじ棒が螺合状態の前記固定ナットに対して回転すると、その回転に応じて前記吊りボルトが軸方向に移動し、その軸移動距離だけ前記引戸を前記ガイドレールに対して昇降させてなることを特徴とする、上吊り引戸の開閉機構。
【請求項２】
前記吊りボルトの前記ねじ棒を、それが１回転すると、軸方向へ１ｍｍ以上移動する一条以上の条数ねじで形成してなることを特徴とする、請求項１に記載の上吊り引戸の開閉機構。
【請求項３】
前記ガイドレールは、前記吊りボルトの前記ねじ棒が通過する逃げ溝を下面の長さ方向にあけた変形角パイプ状に曲げ成形し、その上側の内壁面に長さ方向へギヤガイド溝を設ける一方、前記吊りボルトは、前記ピニオンの厚さ方向にピン貫通穴を設け、該ピン貫通穴にそれぞれ付勢ばねで上向きに付勢した係合ピンを嵌合し、前記ピン貫通穴を通して前記ピニオンのギヤ板面からピン先端を突出させて形成し、前記引戸の吊り込み状態において前記係合ピンのピン先端が前記ガイドレールの前記ギヤガイド溝に係合すると、前記吊りボルトを回り止めしてなることを特徴とする、請求項１又は２に記載の上吊り引戸の開閉機構。
【発明の詳細な説明】
【技術分野】
【０００１】
本発明は、扉開口部の天井側に固定したガイドレールに戸車を係合し、その戸車を介してガイドレールで吊持した引戸をスライドして扉開口部を開閉する上吊り引戸の開閉機構に関する。
【背景技術】
【０００２】
従来、各種の引戸の中でも、この種の上吊り引戸は、壁体に開いた扉開口部の床面側に、敷居やレールなど、引戸のスライドを案内するガイド部材を設置する必要がないため、床面に段差を発生させずに済み、昨今のバリアフリーの要請に応える引戸として、需要が高まっている。
【０００３】
一般に、上吊り引戸を組み付ける場合は、たとえば図１２に示すように、引戸１で開閉する扉開口部２の天井側にガイドレール３を固定する一方、引戸１の上端部１ａに吊り金具４を取り付け、吊り金具４に備えた戸車４ａをガイドレール３上に転動自在に係合させて引戸１を図中左右の開閉方向へスライド自在に吊持している。
【発明の開示】
【発明が解決しようとする課題】
【０００４】
ところが、上吊り引戸１は、それを組み付けたとき、床面５との間に、構造上僅かでも隙間６を発生し、そのために、たとえば浴室など気密性が必要な出入口の扉として吊設する場合には、別途に止水構造を付設するなど、必要に応じて隙間６をシールする必要があった。
【０００５】
そこで、従来、上吊りの引戸がスライドして全閉位置に近づいたときに、レバー操作で戸車をガイドレール上に設けた凹溝に落し込ませ、その落ち込み高さだけ引戸をガイドレールに対して下降させて床面との隙間を遮蔽する開閉機構が提案されている。
【０００６】
しかしながら、この従来の上吊り引戸の開閉機構では、引戸の開時は、操作レバーを持って重量のある引戸ごと、いったん持ち上げて、凹溝から戸車を取り出してから引戸を開方向へスライド移動させる必要があり、それだけ引戸の開閉操作に負担がかかり面倒であるという課題があった。
【０００７】
上記した課題を解決すべく、請求項１に記載の発明は、たとえば以下に示す図示実施の形態のとおり、引戸１１をスライドさせて開閉する扉開口部１０の天井側にガイドレール１３を固定する一方、前記引戸１１の上端部に吊り金具ユニットＡを搭載し、その吊り金具ユニットＡに備えた戸車１５を前記ガイドレール１３上に転動自在に係合させて前記引戸１１を開閉方向へ移動自在に吊り込む引戸構造体において、前記吊り金具ユニットＡには、前記戸車１５を軸支する戸車支持体３４に横向きに固着し、中心に雌ねじ穴３５ａを螺設してなる固定ナット３５と、先端にピニオン３０を固着すると共に、軸部を、外周に前記固定ナット３５の雌ねじ穴３５ａと対応するピッチの雄ねじを刻設したねじ棒２９で形成し、該ねじ棒２９を前記固定ナット３５の雌ねじ穴３５ａに螺合させて回転自在に枢支した吊りボルト２０と、を組み付ける一方、前記ガイドレール１３には、前記引戸１１の吊り込み時に前記ピニオン３０と対向する高さ位置にあって、前記引戸１１が前記扉開口部１０を全閉する手前の所定位置から全閉する閉位置までの間、前記ピニオン３０が噛み合う長さのラック歯５０ａ・５１ａを有したラック５０・５１を固着し、前記引戸１１をスライドして前記扉開口部１０を開閉するとき、前記ピニオン３０と前記ラック５０・５１のラック歯５０ａ・５１ａとが噛み合って、前記吊りボルト２０を、前記ねじ棒２９が螺合状態の前記固定ナット３５に対して回転すると、その回転に応じて前記吊りボルト２０が軸方向に移動し、その軸移動距離だけ前記引戸１１を前記ガイドレール１３に対して昇降させてなることを特徴とする。
【０００８】
請求項２に記載の発明は、請求項１に記載の上吊り引戸の開閉機構において、たとえば以下に示す図示実施の形態のとおり、前記吊りボルト２０の前記ねじ棒２９を、それが１回転すると、軸方向へ１ｍｍ以上移動する一条以上の条数ねじで形成してなることを特徴とする。
【０００９】
請求項３に記載の発明は、請求項１又は２に記載の上吊り引戸の開閉機構において、たとえば以下に示す図示実施の形態のとおり、前記ガイドレール１３は、前記吊りボルト２０の前記ねじ棒２９が通過する逃げ溝４５を下面の長さ方向にあけた変形角パイプ状に曲げ成形し、その上側の内壁面１３ｃに長さ方向へギヤガイド溝６５を設ける一方、前記吊りボルト２０は、前記ピニオン３０の厚さ方向にピン貫通穴３０ａを設け、該ピン貫通穴３０ａにそれぞれ付勢ばね６６で上向きに付勢した係合ピン６７を嵌合し、前記ピン貫通穴３０ａを通して前記ピニオン３０のギヤ板面３０ｂからピン先端６７ａを突出させて形成し、前記引戸１１の吊り込み状態において前記係合ピン６７のピン先端６７ａが前記ガイドレール１３の前記ギヤガイド溝１３ｃに係合すると、前記吊りボルト２０を回り止めしてなることを特徴とする。
【発明の効果】
【００１０】
請求項１に記載の発明によれば、引戸をスライドして扉開口部を閉じるとき、吊り金具ユニットのピニオンとガイドレール側のラックのラック歯とが噛み合って、吊りボルトを、ねじ棒が螺合状態の固定ナットに対して一方向に回転すると、その回転に応じて吊りボルトが軸方向下向きに移動し、その軸移動距離だけ引戸を徐々に下降させながら閉方向へスライド移動する構成とし、これにより、簡略な構成で面倒な開閉操作を必要とせず、上吊り引戸を、閉位置において床面との間で隙間なく気密にして閉止することを実現する上吊り引戸の開閉機構を提供することができる。また、引戸を閉位置から開方向へスライドさせてときは、ピニオンがラックのラック歯と噛み合って、吊りボルトをねじ棒が螺合状態の固定ナットに対して他方向に回転すると、その回転に応じて吊りボルトを軸方向上向きに移動し、それに従い、引戸が吊りボルトの軸移動距離の分だけ徐々に上昇しながら開方向へ移動する構成であるため、引戸を開くため引き戻すときに、従来の如く余計に負担がかかることなく、簡単に且つ比較的スムーズに引戸をスライド操作することができる。
【００１１】
請求項２に記載の発明によれば、吊りボルトのねじ棒を一条以上の条数ねじで形成し、これにより、ラックのラック歯とピニオンの噛み合いに基づいて、より効果的に吊りボルトを軸方向上下に移動させて引戸を昇降させることができる。
【００１２】
請求項３に記載の発明によれば、吊り金具ユニットのピニオンがガイドレール側のラックのラック歯から外れた状態で、引戸をスライド移動するときに、引戸に衝撃等の外力が加わっても、吊りボルトを、係合ピンとガイドレールのギヤガイド溝との係合で、回り止めしてガタつかせることがなく、引戸を開閉方向へスムーズに横移動して扉開口部を静かに開閉することができる。
【発明を実施するための最良の形態】
【００１３】
以下、図面を参照しつつ、本発明の実施の形態について説明する。
【００１４】
図１は、本発明の上吊り引戸の開閉機構を適用した引戸構造体を引戸の全閉状態において示す正面図、図２は引戸構造体の分解斜視図、図３は上吊り引戸の吊り金具ユニットの部品構成を示す分解斜視図である。図示例の引戸構造体は、例えば浴室に構築され、浴室の出入口である扉開口部１０を開閉する木製の引戸１１と、扉開口部１０を矩形に枠付ける扉枠１２を備え、引戸１１を、図中左右の開閉方向へスライド移動自在に扉枠１２の天井側横枠材１２ａに吊設する上吊り構造になっている。
【００１５】
そのため、引戸構造体において、上吊り引戸１１には、上端面１１ａの戸先側と戸尻側に取付凹溝１１ｂが穿設されている。そして、本発明の上吊り引戸の開閉機構は、引戸１１の側において、戸先側と戸尻側の上端面１１ａにそれぞれ搭載する左右一対の吊り金具ユニットＡを備える一方、扉枠１２の側には、吊り金具ユニットＡを懸架して引戸１１のスライド移動を案内するガイドレール１３と、一対の引戸用の戻り止めキャッチ１４とを備える。
【００１６】
左右の吊り金具ユニットＡは、それぞれ引戸１１を上吊りする構成部品を、引戸１１の上端面１１ａの戸先と戸尻側に取り付ける取付金具Ｂと、戸車１５を回転自在に支持する戸車支持金具Ｃとに、大別して構成してなる。
【００１７】
吊り金具ユニットＡのうち、一方の取付金具Ｂは、図３と図４および図５に示すように、取付フレーム１８と、引戸角度調節具１９と、吊りボルト２０とで構成されている。取付フレーム１８は、金属製で、引戸１１の取付凹溝１１ｂの凹形状に合わせてチャネル状に曲げ成形してなる。引戸角度調節具１９は、固定ケース２１と、可動フレーム２２と、調整用長ねじ２３と、ガイドピン２４を備える。固定ケース２１は、樹脂製で、取付フレーム１８に嵌め込み可能な上側開放の長箱状に形成し、前方の縦長な突当て板部２１ａおよび後方の軸保持片部２１ｂに、同軸上で向い合うそれぞれ丸いねじ挿通穴１６・１７を設けると共に、両側板部に、対向させて横に長いガイド穴２６を設けてなる。可動フレーム２２は、金属製で、固定ケース２１内に嵌め込み可能なチャネル状に曲げ成形し、両側板部２２ａに、互いに傾斜して対向する規制穴２７を設けてなる。ガイドピン２４は、調整用長ねじ２３のねじ軸部２３ａと対応する雌ねじ穴２８が径方向に貫通して螺設されている。
【００１８】
取付金具Ｂの吊りボルト２０は、特に、ねじ棒２９と、ねじ棒２９の先端に固着するピニオン３０とで構成されてなる。ねじ棒２９は、後述する固定ナット３５の雌ねじ穴３５ａと対応するピッチで、一方向へ回すと軸方向下向きに、他方向へ回すと軸方向上向きに移動するようにねじ溝を切った雄ねじを外周に刻設してなる。そして、図示吊りボルト２０は、ねじ棒２９として、１回転すると１ｍｍ以上軸方向へ移動する、一条以上の所謂条数ねじを用いるとよい。図示例では、１回転すると２ｍｍ軸方向へ移動する二条ねじを用いている。
【００１９】
吊り金具ユニットＡにおいて、他方の戸車支持金具Ｃは、ローラ状の戸車１５を一対備える他に、それら戸車１５を回転自在に支持する戸車支持体３４と、戸車支持体３４にそれぞれ組み付ける、固定ナット３５と回転オイルダンパ３６およびガイド突起３７を備えた構成になっている。
【００２０】
戸車支持体３４は、上側開放の矩形箱状をなし、両側板部で戸車１５を回転自在に軸支し、底板部には、戸車用にあけた逃げ穴と共に、戸車１５間にナット取付穴３９を設け、ナット取付穴３９に固定ナット３５を横向けに固着してなる。固定ナット３５は、その中心に、吊りボルト２０のねじ棒２９に合わせて雌ねじ穴３５ａを螺設してなる。回転オイルダンパ３６は、円筒状のケース部３６ａ内にロータを回転自在に収納し、ロータ外周とケース部３６ａ内周との間隙にオイルを充填してケース部３６ａに密封し、ロータが回転するとオイルの粘性抵抗により制動トルクを発生する構造になっている。回転オイルダンパ３６は、ケース部３６ａから突出するロータ軸先端に制動ギヤ４０を連結する一方、ロータ軸と制動ギヤ４０間に一方向クラッチを配設し、制動ギヤ４０が一作動方向に回転したときに制動トルクが発生する構造になっている。ガイド突起３７は、樹脂製で、先端部３７ａを両側が鋸歯凹凸をなす突状に形成してなる。戸車支持金具Ｃは、戸車支持体３４の前枠板部３４ａにガイド突起３７をねじ止めする一方、後枠板部３４ｂに、制動ギヤ４０が下向きの回転オイルダンパ３６を、アングル板４１を介しねじ止めして組み立ててなる。
【００２１】
そこで、吊り金具ユニットＡは、吊りボルト２０のねじ棒２９を引戸角度調節具１９の可動フレーム２２の軸挿通穴４２を通して、更に戸車支持金具Ｃ側の固定ナット３５の雌ねじ穴３５ａに螺合させてねじ棒２９の先端２９ａを戸車支持体３４から突出させてから、先端２９ａにピニオン３０を固着する一方、ねじ棒２９の基端２９ｂをスラスト軸受４３で枢着して可動フレーム２２に回転自在に連結し、吊りボルト２０を立設する。一方、可動フレーム２２は固定ケース２１に嵌め込み、ガイド穴２６と斜めの規制穴２７とを合わせて両穴２６・２７にガイドピン２４を通して係合させる一方、調整用長ねじ２３のねじ軸部２３ａを、固定ケース２１のねじ挿通穴１６に挿通させてから、ガイドピン２４の雌ねじ穴２８に螺合させて、更にねじ軸部２３ａの先端をねじ挿通穴１７から突出させ、そのねじ先端に止めナット４４を固着して引戸角度調節具１９を組み立てる。そして、吊り金具ユニットＡは、取付フレーム１８を開放側を上向きにして、図２に示す引戸１１の取付凹溝１１ｂに嵌め込んでねじ止めする一方、取付フレーム１８に引戸角度調節具１９の固定ケース２１を差し込み、突当て板部２１ａの下端を縦框の木口面１１ｃ・１１ｄにねじ止めし、それぞれ戸先側と戸尻側で上端面１１ａに組み付けて引戸１１上に搭載する。
【００２２】
一方、以上の吊り金具ユニットＡに対し、ガイドレール１３は、図２中下面の長さ方向に逃げ溝４５をあけた変形角パイプ状に曲げ成形し、逃げ溝４５の両側に戸車１５の走行路４６を形成してなる。そして、ガイドレール１３は、側壁内面において、片側の一側面１３ａの戸先寄りと戸尻寄りに、それぞれ回転オイルダンパ３６の制動ギヤ４０と対応するラック歯４７ａ・４８ａを有した制動用ラック４７・４８を固着している。一方、他側面１３ｂには、特に吊りボルト２０のピニオン３０と対応するラック歯５０ａ・５１ａを有した昇降用ラック５０・５１を固着してなる。なお、引戸１１の戻り止めキャッチ１４は、取付板５４に板バネ５５を取り付けて構成されている。板バネ５５は、コ形状に曲げ成形した一対の挟み込み片５５ａの先端側を互いに凸状に向き合うく字状に屈曲させて形成してなる。
【００２３】
そこで、ガイドレール１３は、逃げ溝４５を下向きにして扉枠１２の天井側横枠材１２ａに固定すると共に、戻り止めキャッチ１４は、互いの挟み板片５５ａをガイドレール１３の両端開口と向き合わせて天井側横枠材１２ａの左右両端縁に取り付ける。一方、ガイドレール１３には、走行路４６上に戸車１５を転動自在に載せて、戸車支持金具Ｃを挿入した状態で一対の吊り金具ユニットＡを係合して引戸１１をスライド自在に吊り込む。なお、引戸１１の吊り込み時、扉枠１２の縦枠材に対して引戸１１の建付けの向きに傾きがあると、その建付けを微調整する。その場合は、引戸１１の戸先側木口面１１ｂを戸先側縦枠材１２ｂに突き当て状態とする一方、戸尻側の引戸角度調節具１９を操作し、引戸１１を、固定側のガイドレール１３に対し回動させて角度調整し、引戸１１を全閉位置で戸先側縦枠材１２ｂに隙間なく密着するように位置決める。引戸角度調節具１９で引戸１１を角度調整するときは、たとえばドライバを用い、調整用長ねじ２３を、引戸１１の戸先側縦枠材１２ｂに対する傾き状態に応じて、いずれか一方向にねじ回しする。すると、調整用長ねじ２３のねじ回し方向に従い、ガイドピン２４が固定ケース２１のガイド穴２６に沿って横移動する一方、可動フレーム２２の斜めの規制穴２７で案内して上下動し、このガイドピン２４を支点として引戸１１が傾動し、戸先側木口面１１ｃが戸先側縦枠材１２ｂに隙間なく密着させる。
【００２４】
上述の如く構成した上吊り引戸の開閉機構を適用した引戸構造体において、引戸１１を閉じるときは、不図示のドアハンドルを持って、引戸１１を戸袋壁に沿って閉方向へ引き出すと、図６に示すように、吊り金具ユニットＡの戸車１５が転動してガイドレール１３上の走行路４６を走行し、これにより、引戸１１を、ガイドレール１３で閉方向へ案内してスライド移動させる。このように閉方向へスライドさせるとき、引戸１１は、スライド移動の途中で、戸先側と戸尻側の回転オイルダンパ３６の制動ギヤ４０が制動用ラック４７・４８のラック歯４７ａ・４８ａにそれぞれ噛み合って一作動方向に回転する。すると、回転オイルダンパ３６が作動して制動力を発生し、制動ギヤ４０がブレーキの利いた負荷状態で回転し、これによって、引戸１１のスライド移動も制動され、それに従って引戸１１は減速されながら、ゆっくり安全に閉止する。
【００２５】
一方、扉開口部１０を開くときは、ドアハンドルを持って引戸１１を開方向へ引き戻すと、同様に戸車１５が転動してガイドレール１３上の走行路４６を走行し、これにより、引戸１１をガイドレール１３の案内でスライドさせて扉開口部１０を開放する。このように引戸１１で扉開口部１０を開閉したときは、ガイド突起３７の凹凸な先端部３７ａを戻り止めキャッチ１４の挟み込み片５５ａで挟持し、引戸１１が扉枠１２の縦枠材に当った反動で反対の開方向又は閉方向へ戻らないように、開位置と閉位置でそれぞれ引戸１１を引き止めて位置決め保持する。
【００２６】
さて、特に本発明では、上述のように引戸１１をガイドレール１３で案内して閉方向へスライドして閉めるとき、引戸１１は、図７に示すようにスライド移動の途中において、扉開口部１０を全閉する手前の所定位置から、戸先側と戸尻側の吊り金具ユニットＡのピニオン３０・３０がそれぞれ昇降用ラック５０・５１のラック歯５０ａ・５１ａと噛み合い、吊りボルト２０を一方向に軸回転させながら移動する。すると、吊りボルト２０は、ねじ棒２９が固定ナット３５に対し螺合状態で一方向へ回転するため、ねじ棒２９の回転に応じて軸方向下向きへと移動し、それに従い、引戸１１は、吊りボルト２０の軸移動距離だけ、徐々に下降しながら閉止方向へスライド移動する。そして、引戸１１は、図１に示すように、閉位置において、扉開口部１０を床面Ｆとの間で隙間なく気密にして閉止する。図示例では、吊りボルト２０は、引戸１１で扉開口部１０を全閉するまでに、二条ねじのねじ棒２９が２回転して４ｍｍ軸方向下向きへ移動し、それに従って、引戸１１は下降して扉開口部１０を床面Ｆとの間で隙間なく、気密にして閉止するようになっている。
【００２７】
そのため、本発明の上吊り引戸の開閉機構では、ラック５０・５１は、引戸１１をガイドレール１３に吊り込んだとき、図１に示すように、各々のラック歯５０ａ・５１ａがピニオン３０・３０と対向する噛み合い高さ位置に刻設している。しかも、ラック５０・５１は、ラック歯５０ａ・５１ａを、引戸１１が扉開口部１０を全閉する手前の所定噛み合い位置から全閉する閉位置までの間、吊りボルト２０のピニオン３０が噛み合う長さだけ刻設した構成になっている。
【００２８】
一方、本発明において、反対に、引戸１１を閉位置から開方向へスライドさせて引き戻すとき、引戸１１は、ピニオン３０・３０がそれぞれ昇降用ラック５０・５１のラック歯５０ａ・５１ａと噛み合って吊りボルト２０を他方向に軸回転させながら移動する。すると、吊りボルト２０は、ねじ棒２９が固定ナット３５に対し螺合状態で他方向へ回転するため、今度は、ねじ棒２９の回転に応じて軸方向上向きへと移動し、それに従い、引戸１１は、吊りボルト２０の軸移動距離の分だけ、徐々に上昇しながら開方向へスライド移動する。そして、引戸１１は、ピニオン３０と昇降用ラック５０・５１のラック歯５０ａ・５１ａとの噛み合いが外れるまで、元の吊り込み高さ位置へ上昇して後は、そのまま吊り込み高さ位置で水平に開方向へ横移動して扉開口部１０を全開させる。
【００２９】
ところで、上記上吊り引戸の開閉機構には、引戸１１を開方向へスライドする場合、ピニオン３０・３０がそれぞれ噛み合った昇降用ラック５０・５１のラック歯５０ａ・５１ａから外れた後、更に引戸１１を開方向へスライド移動させたときに、戸先側のピニオン３０が戸尻側昇降用ラック５１に無用に噛み合わないように、図１に示すように噛み合い回避構造が設けられている。図示例では、戸尻側ラック５１のラック歯５１ａの設置高さ位置を、戸先側ラック５０のラック歯５０ａより一段低くずらすと共に、異なるラック歯５０ａ・５１ａの高さに合わせて、吊りボルト２０・２０の高さを戸先側と戸尻側とで違えて、戸先側吊り金具ユニットＡのピニオン３０が戸尻側昇降用ラック５１の横を通過するとき、そのラック歯５１ａと噛み合わないようにしている。
【００３０】
また、この戸先側ピニオン３０の噛み合い回避構造を、上記図示例に代えて、たとえば図８および図９に示すように構成することもできる。図示他例では、昇降用ラック５０・５１のラック歯５０ａ・５１ａを同一高さに設ける一方、図８（Ａ）および図９（Ａ）に示すように、戸先側ラック５０を一段肉厚にしてラック歯５０ａを戸尻側のラック歯５１ａより厚さ方向へ張り出させてずらすと共に、異なるラック歯５０ａ・５１ａの張り出し位置に合わせてピニオン５９・６０のギヤ径を戸先側と戸尻側とで違えて、戸先側吊り金具ユニットＡの小径なピニオン５９が戸尻側の昇降用ラック５１の横を通過するとき、そのラック歯５１ａと噛み合わないようにする。
【００３１】
更に、上述した上吊り引戸の開閉機構には、引戸１１を開方向へスライドする場合、ピニオン３０・３０がそれぞれ噛み合った昇降用ラック５０・５１のラック歯５０ａ・５１ａから外れた後、更に引戸１１を開方向へスライド移動させるときに、衝撃等の外力を受けると、吊りボルト２０が回動することによりガタついて無用な騒音を発生させないように、図１０および図１１に示すような回り止め構造が設けられている。即ち、ガイドレール１３には、上側の内壁面１３ｃに互いに平行な複数のギヤガイド溝６５を設ける。一方、吊りボルト２０は、ピニオン３０の厚さ方向に複数のピン貫通穴３０ａを設け、ピン貫通穴３０ａにそれぞれコイルばね６６で上向きに付勢した係合ピン６７を嵌合し、ピン貫通穴３０ａを通してピニオン３０のギヤ板面３０ｂからピン先端６７ａを突出させた構成になっている。
【００３２】
そして、図示例では、引戸１１を、閉位置から開方向へ引き戻すとき、引戸１１が吊りボルト２０の上向きの軸移動に従って徐々に上昇しながらスライド移動して後、ピニオン３０・３０が昇降用ラック５０・５１のラック歯５０ａ・５１ａから外れると、ピニオン３０のギヤ板面３０ｂから突出した係合ピン６７が、ガイドレール１３の天井側でギヤガイド溝６５にコイルばね６６で弾性的に係合し、吊りボルト２０を回り止めする。従って、図示例では、ピニオン３０・３０が昇降用ラック５０・５１のラック歯５０ａ・５１ａから外れた状態で、引戸１１をスライド移動するときに、引戸１１に衝撃等の外力が加わっても、吊りボルト２０を、係合ピン６７とガイドレール１３のギヤガイド溝６５との係合で、回り止めしてガタつかせることがなく、引戸１１を開閉方向へスムーズに横移動して扉開口部１０を静かに開閉することができる。
【００３３】
なお、上記図１に示した例では、昇降用ラック５０・５１の異なるラック歯５０ａ・５１ａの高さに合わせて吊りボルト２０・２０の高さを戸先側と戸尻側とで違えた噛み合い回避構造とした。したがって、上記図示例における吊りボルト２０の回り止め構造では、戸尻側吊りボルト２０のピニオン３０が噛み合った昇降用ラック５１のラック歯５１ａから外れたとき、戸尻側ピニオン３０は、係合ピン６７がガイドレール１３のギヤガイド溝６５に係合できる高さ位置となるように（図６参照）、戸尻側吊りボルト２０のピニオン３０は、一段肉厚に形成している。
【図面の簡単な説明】
【００３４】
【図１】本発明の上吊り引戸の開閉機構を適用した引戸構造体を全閉状態において示す正面図である。
【図２】引戸構造体の分解斜視図である。
【図３】吊り金具ユニットの部品構成を示す分解斜視図である。
【図４】吊り金具ユニットの組立斜視図である。
【図５】図４と異なる向きで示す吊り金具ユニットの組立斜視図である。
【図６】引戸構造体を引戸半開き状態で示す正面図である。
【図７】引戸構造体をピニオンとラックの噛み合い始めの段階において示す正面図である。
【図８】（Ａ）は引戸の半開き状態においてピニオンの噛み合い回避構造の他例を示す引戸構造体の平面図、（Ｂ）は正面図である。
【図９】（Ａ）は引戸の全閉状態においてピニオンの噛み合い回避構造の他例を示す引戸構造体の平面図、（Ｂ）は正面図である。
【図１０】吊りボルトの回り止め構造を備えたガイドレールとそれに組み付けた吊り金具ユニットを示す端面図である。
【図１１】ピニオンの回り止め部品を示す分解斜視図である。
【図１２】従来の上吊り引戸の開閉機構を適用した引戸構造体を全閉状態において示す正面図である。
【符号の説明】
【００３５】
Ａ              吊り金具ユニット
Ｂ              取付金具
Ｃ              戸車支持金具
１０            扉開口部
１１            引戸
１１ａ          上端面
１２            扉枠
１２ａ          天井側横枠材
１３            ガイドレール
１５            戸車
２０            吊りボルト
２９            ねじ棒
３０            ピニオン
３４            戸車支持体
３５            固定ナット
５０・５１      ラック
５０ａ・５１ａ  ラック歯
６５            ギヤガイド溝
６７            係合ピン
【図１】
2007177404.tif 000003
【図２】
2007177404.tif 000004
【図３】
2007177404.tif 000005
【図４】
2007177404.tif 000006
【図５】
2007177404.tif 000007
【図６】
2007177404.tif 000008
【図７】
2007177404.tif 000009
【図８】
2007177404.tif 000010
【図９】
2007177404.tif 000011
【図１０】
2007177404.tif 000012
【図１１】
2007177404.tif 000013
【図１２】
2007177404.tif 000014